(57)【要約】【課題】  マーカーペンによるハイライト処理時に、画像のにじみや非記録部位に汚れが発生することを抑制できるマーカーペン用液体組成物を提供すること。【解決手段】  着色剤、水溶性有機溶剤、水、及びカチオン性ポリマーを含有することを特徴とするマーカーペン用液体組成物とする。【選択図】  なし【特許請求の範囲】
【請求項１】
着色剤、水溶性有機溶剤、水、及びカチオン性ポリマーを含有することを特徴とするマーカーペン用液体組成物。
【請求項２】
前記カチオン性ポリマーが、ポリアリルアミン、ポリアミンスルホン、これらの共重合体、及びポリビニルアミンからなる群から選ばれることを特徴とする少なくとも１種である請求項１に記載のマーカーペン用液体組成物。
【請求項３】
アニオン性着色剤によって記録媒体に形成された画像に対して、マーカーペンでハイライト処理を行う画像形成方法であって、
前記マーカーペンが、請求項１または請求項２に記載のマーカーペン用液体組成物を充填したマーカーペンであることを特徴とする画像形成方法。
【請求項４】
前記アニオン性着色剤が、水性インクの形態で記録媒体に付与される工程を有することを特徴とする請求項３に記載の画像形成方法。
【請求項５】
インクジェット記録方法を用いて、前記アニオン性着色剤を含有する水性インクを記録媒体に付与する工程を有することを特徴とする請求項４に記載の画像形成方法。
【発明の詳細な説明】
【技術分野】
【０００１】
本発明は、マーカーペン用液体組成物、及び画像形成方法に関する。
【背景技術】
【０００２】
従来、記録媒体に記録した文字や画像を強調して表示する一つの手法として、マーカーペンによるハイライト処理が一般的に行われている。例えば、ある特定の文字列を強調したい場合には、その文字列を含む領域をマーカーペンでマーキングして着色し、視覚的に目立たせるという方法がある。その際、元の文字列が視覚的にはっきりと認識されることは非常に重要であり、輪郭のにじみや非記録部位に余計な汚れが発生することは好ましくない。
【０００３】
近年、インクジェット記録装置の普及に伴い、インクジェット方式による記録物を取り扱う機会が増加してきている。汎用されている多くのインクジェット記録装置では水性インクを使用しており、その着色剤も水に溶解ないしは分散するものが採用されている。そのため、水性のマーカーペンを用いてインクジェット記録装置により形成された記録物をマーキングした際に、着色剤が再溶解ないしは再分散されることにより、輪郭のにじみや非記録部位に汚れが発生する場合がある。
【特許文献１】特表2007-510042号公報
【発明の開示】
【発明が解決しようとする課題】
【０００４】
上記マーカーペンによるハイライト処理時に発生する記録物のにじみや汚れを抑制するために、マーカーペンの改良やインクジェット用インクの改良等が種々提案されてきている。しかし、記録物のにじみや汚れをより高いレベルで、より汎用的な手段で達成するには、未だ改善の余地があると考えられる。
【０００５】
したがって、本発明の目的は、マーカーペンによるハイライト処理時に、画像のにじみや非記録部位に汚れが発生することを抑制できるマーカーペン用液体組成物を提供することにある。また、本発明の別の目的は、上記マーカーペン用液体組成物が充填されたマーカーペンを用いることで、マーカーペンによるハイライト処理時に、画像のにじみや非記録部位に汚れが発生することを抑制できる画像形成方法を提供することにある。
【課題を解決するための手段】
【０００６】
上記目的は、以下の本発明によって達成される。即ち、本発明にかかるマーカーペン用液体組成物は、着色剤、水溶性有機溶剤、水、及びカチオン性ポリマーを含有することを特徴とする。
【０００７】
また、本発明の別の実施態様にかかる画像形成方法は、アニオン性着色剤によって記録媒体に形成された画像に対して、マーカーペンでハイライト処理を行う画像形成方法であって、前記マーカーペンが、上記のマーカーペン用液体組成物を充填したマーカーペンであることを特徴とする。
【発明の効果】
【０００８】
本発明によれば、マーカーペンによるハイライト処理時に、画像のにじみや非記録部位に汚れが発生することを抑制できるマーカーペン用液体組成物を提供することができる。また、本発明の別の実施態様によれば、上記マーカーペン用液体組成物が充填されたマーカーペンを用いることで、マーカーペンによるハイライト処理時に、画像のにじみや非記録部位に汚れが発生することを抑制できる画像形成方法を提供することができる。また、本発明の別の実施態様によれば、上記効果に加えて、マーカーペンでハイライト処理した画像の汚れが進行することを抑制するマーカーペン用液体組成物、及び画像形成方法を提供することができる。
【発明を実施するための最良の形態】
【０００９】
以下に、発明を実施するための最良の形態を挙げて本発明を更に詳細に説明する。
【００１０】
本発明のマーカーペン用液体組成物は、着色剤、水溶性有機溶剤、水、及びカチオン性ポリマーを含有することを特徴とする。
【００１１】
本発明で使用するカチオン性ポリマーは、一般的に水性媒体中でプラスの電荷を帯びることにより、アニオン性化合物とイオン的な相互作用を起こし、溶解、分散、拡散等の抑制を誘発する。つまり記録画像がアニオン性着色剤で形成されている場合、マーカーペン用の液体組成物にカチオン性ポリマーが含有されていることで、両者が接触した際の、着色剤の再溶解ないしは再分散が抑制される。その結果、前記マーカーペンによりハイライト処理を行った際に、記録画像のにじみや汚れが低減される。更にポリマーの造膜特性によって、ハイライト処理部に外的応力に対する保護層のようなものが形成され、結果的に、ハイライト処理した記録画像の耐擦過性を向上させる付加的な効果を与える。
【００１２】
使用可能なカチオン性ポリマーとしては、上記本発明の効果が発現する限り特に限定されるものではないが、例えば、ポリアリルアミン、ポリアミンスルホン、これらの共重合体、及びポリビニルアミンからなる群から選ばれる少なくとも１種が挙げられる。これらのカチオン性ポリマーを使用する際には、酸で中和した形態でマーカーペン用液体組成物に使用することが好ましい。
【００１３】
本発明で使用する着色剤としては、記録画像上に付与した際にその領域を視覚的に強調する効果が得られる限り特に限定されるものではなく、種々の水溶性染料や顔料が挙げられる。また必要に応じて、より視覚的な強調作用のある種々の蛍光染料や蛍光顔料を使用することも可能である。これらの着色剤は従来公知のものをいずれも使用することができる。または、本発明のために新たに開発された着色剤を使用することもできる。
【００１４】
本発明で使用する水溶性有機溶剤としては、ペン先の乾燥や目詰まりを抑制するための保湿性を有する水溶性有機溶剤が好ましい。また、マーカーペン用液体組成物に含有される着色剤やカチオン性ポリマー等の溶解性や分散性を制御できるものであることも好ましい。
【００１５】
本発明で使用する水は、種々のイオンを含有する一般の水ではなく、イオン交換水（脱イオン水）を使用することが好ましい。
【００１６】
更に、マーカーペン用液体組成物には、所望の物性値を持たせるために上記成分以外にも必要に応じて、界面活性剤、ｐＨ調整剤、消泡剤、防錆剤、防腐剤、防黴剤、酸化防止剤、還元防止剤、蒸発促進剤、キレート化剤等の種々の添加剤を含有させてもよい。
【実施例１】
【００１７】
次に、実施例及び比較例を挙げて本発明をより具体的に説明する。本発明はその要旨を超えない限り、下記実施例によって限定されるものではない。なお、文中「部」、及び「％」とあるのは、特に断りのない限り質量基準である。
【００１８】
［マーカーペン用液体組成物の調製］
下記成分を混合し、十分に撹拌した後、ポアサイズ３．０μｍのミクロフィルターにて加圧ろ過を行い、液体組成物１及び液体組成物２を調製した。
【００１９】
（液体組成物１）
Ｃ．Ｉ．アシッドイエロー２３                          １．５部
グリセリン                                          ２０．０部
ポリアリルアミン（重量平均分子量１，０００）          ３．０部
純水                                                ７５．５部
（液体組成物２）
Ｃ．Ｉ．アシッドイエロー２３                          １．５部
グリセリン                                          ２０．０部
純水                                                ７８．５部
［ブラックインクの調製］
下記成分を混合し、十分に撹拌した後、ポアサイズ３．０μｍのミクロフィルターにて加圧ろ過を行い、アニオン性着色剤を含有するブラックインクを調製した。
【００２０】
グリセリン                                            ６．０部
ジエチレングリコール                                  ６．０部
トリメチロールプロパン                                ６．０部
アセチレノールＥ１００（川研ファインケミカル製）      ０．２部
ＣＡＢ−Ｏ−ＪＥＴ３００（キャボット製）              ４．０部
純水                                                ７７．８部
上記で得られたブラックインクをインクタンクに充填した。そして、熱エネルギーをインクに付与することによりインクを吐出させる、オンデマンド型マルチ記録ヘッドを有するインクジェット記録装置ＰＩＸＵＳ（登録商標）  ｉＰ４３００（キヤノン製）に前記インクタンクを搭載した。このインクジェット記録装置により、ＰＰＣ用紙オフィスプランナー（（登録商標）キヤノン製）に黒文字を含むパターンを記録した。プリンタドライバは、デフォルトモードを選択した。デフォルトモードの設定条件は下記の通りである。
【００２１】
・用紙の種類：普通紙
・記録品質：標準
・色調整：自動
記録を行ってから常温で１５分間保存した記録物に対して、上記で調製した液体組成物１を充填したカートリッジ交換式のマーカーペン（ＯＰＴＥＸ（登録商標）２；ＺＥＢＲＡ製）を用い、黒文字を含むパターン部分を３回繰り返しマーキング処理した。更に、前記のマーキング処理を行った後、該記録物を常温で３０分保存した後、マーキング処理を行った部分を数回指で擦った。
【００２２】
［比較例１］
上記液体組成物１に代えて液体組成物２を用いた以外は、実施例１と同様の手順で評価を実施した。
【００２３】
［評価］
上記黒文字を含むパターン部分をマーキング処理した際、実施例１においては、比較例１に比べて、黒文字のにじみ、着色剤の移動等が明らかに軽減されていることが目視によって明らかに確認された。またマーキング処理を行った部分を数回指で擦った際にも、比較例１では黒文字のにじみ、着色剤の移動等が更に進行したのに対して、実施例１ではその進行度合いが軽減されていることが目視によって明らかに確認された。